(57)【特許請求の範囲】
【請求項１】
建物を構築する際に使用される外壁パネルであって、
パネル本体と、このパネル本体の少なくとも一方の面を覆うようにして設けられた防水シートと、を備え、
前記パネル本体の少なくとも一方の面の縁部周囲に沿って接着剤が塗布され、その上から前記防水シートが貼設され、
前記パネル本体の下縁部の少なくとも一部には、接着剤が塗布されない無塗布部が設けられていることを特徴とする外壁パネル。
【請求項２】
請求項１記載の外壁パネルにおいて、
パネル本体の少なくとも上縁部には、左端部から右端部まで接着剤が間断なく塗布されていることを特徴とする外壁パネル。
【請求項３】
請求項１又は２記載の外壁パネルにおいて、
防水シートは、パネル本体の下端部より外方に所定幅はみ出るようにして設けられていることを特徴とする外壁パネル。
【発明の詳細な説明】
【０００１】
【発明の属する技術分野】
本発明は、建物を構築する際に用いられる外壁パネルに関する。
【０００２】
【背景の技術】
近年、建物の構築についてはその工業化が進み、例えば壁や床、屋根といった構成要素を予め工場にてパネル化しておき、施工現場でこれらのパネルを組み立てることにより、建物を構築するといったパネル工法が一部に採用されている。
このようなパネル工法に用いられるパネルとして、例えば、図９に示すようなパネルが知られている。
【０００３】
図９に示すパネル１００は、縦框材１０１，１０１と横框材１０２，１０２とが矩形状に組み立てられるとともに、この矩形枠の内部に補強芯材１０３…が縦横に組まれて枠体１０４が形成され、枠体１０４の一方の面に合板等の面材１０５が貼設されたものである。
また、例えば、特開平７−２８６３８３号公報に開示された発明のように、複数のパネルを連結して大型の連結パネルとし、この連結パネルにサッシ枠を組み込んだ艤装パネルも知られている。この艤装パネルを用いることにより現場施工の作業効率の向上を図っている。
そして、前記艤装パネルに更に胴縁を取り付ける場合、防水シートを連結パネルの四隅にステーブル打ちし、その上から胴縁を所定間隔で取り付けていた。
【０００４】
【発明が解決しようとする課題】
ところで、艤装された連結パネルの汎用性を持たせるため、胴縁を艤装せずに防水シートのみを艤装したい場合があり、この場合、防水シートをパネルの四隅にステープルにて取り付けたのみでは、隙間に空気が入って輸送時にパタついたり、或いは雨水がパネルと防水シートの間に侵入してしまうおそれがあるという問題点があった。
【０００５】
本発明は上記問題点を解決するために為されたものであって、防水シートの輸送時のパタつきをなくすとともに、防水性に優れた外壁パネルを提供することを目的とする。
【０００６】
【課題を解決するための手段】
上記課題を解決するため、
請求項１記載の発明は、例えば、図１〜８に示すように、建物を構築する際に使用される外壁パネル１（例えば、大型壁パネル）であって、
パネル本体５と、このパネル本体５の少なくとも一方の面を覆うようにして設けられた防水シート６と、を備え、
前記パネル本体５の少なくとも一方の面の縁部５ａ、５ｂ、５ｃ周囲に沿って接着剤Ｓが塗布され、その上から前記防水シート６が貼設されていることを特徴としている。
また、前記パネル本体５の下縁部５ｃの少なくとも一部には、接着剤Ｓが塗布されない無塗布部５５が設けられていることを特徴としている。
【０００７】
請求項１記載の発明によれば、外壁パネル１の少なくとも一方の面の縁部５ａ〜５ｃ周囲に接着剤Ｓが塗布され、その上に防水シート６が貼設されているので、ステープル打ちに比べて、防水シート６とパネル本体５との間の留め付け面積が大きくなることとなって、当該外壁パネル１の輸送時の防水シート６のパタつきを防止することが出来る。
即ち、従来のステープル打ちによる取り付けの場合、パネル本体５と防水シート６とは点で接着されるが、接着剤Ｓを用いることにより、パネル本体５と防水シート６とは面で接着されるので、留め付け面積がより大きくなって安定して防水シート６が接着され、当該外壁パネル１の輸送時の防水シート６のパタつきを防止することが出来る。
また、下縁部５ｃの少なくとも一部には、接着剤Ｓが塗布されていない無塗布部５５が設けられているので、万が一、防水シート６の内側に水が侵入した場合でも、無塗布部５５から外部に水を出すことが出来る。
【０００８】
ここで、接着剤Ｓは、必ずしも縁部５ａ〜５ｃ全周囲に亘って間断なく塗布される必要はなく、断続的に塗布されている場合であってもよい。
外壁パネル１は、屋根材や壁材等として用いられるパネルであって、例えば、図９に示すような、縦框材１０１，１０１と横框材１０２，１０２とが矩形状に組み立てられるとともに、この矩形枠の内部に補強芯材１０３…が縦横に組まれて枠体１０４が形成され、枠体１０４の一方の面に合板等の面材１０５が貼設されたものでもよいし、或いは単なる板材などでもよい。
また、外壁パネル１は、単数のパネルであってもよいし、複数のパネルが連結して大型化された大型連結パネル１であってもよい。
防水シート６は、防水性を有するものであればどのようなものでもよく、また、防水性と同時に透湿性を有するものであってもよい。
【０００９】
請求項２記載の発明は、請求項１記載の外壁パネル１において、
パネル本体５の少なくとも上縁部５ａには、左端部５１から右端部５２まで接着剤Ｓが間断なく塗布されていることを特徴としている。
【００１０】
請求項２記載の発明によれば、少なくとも上縁部５ａには、左端部５１から右端部５２まで接着剤Ｓが間断なく塗布されているので、上縁部５ａから防水シート６の内側に水が侵入することを防止出来ることとなって、防水性を向上させることが出来る。
ここで、上縁部５ａ以外に側縁部５ｂ、下縁部５ｃも間断なく接着剤Ｓを塗布するようにしてもよい。防水性を高める上ではより好ましい。
【００１３】
請求項３記載の発明は、請求項１又は２記載の外壁パネル１において、
防水シート６は、パネル本体５の下端部５４より外方に所定幅はみ出るようにして設けられていることを特徴としている。
【００１４】
請求項３記載の発明によれば、防水シート６は下端部５４より外方に所定幅はみ出るようにして設けられているので、この外壁パネル１を所定の場所に取り付けた場合、下端部５４からはみ出るようにした防水シート６を下端部５４が取り付けられた建物の部材と重ねることが出来ることとなって、接合部の防水性をより容易且つ確実に行うことが出来る。
即ち、例えば、外壁パネルが２階部の外壁パネルとして使用され、胴差しに取り付けられる場合、当該接合部と胴差しとをはみ出た下端部の防水シート６で覆って固定することにより、接合部の防水性の確保を容易且つ確実に行うことが出来る。
【００１９】
【発明の実施の形態】
以下、図を参照して本発明に係る外壁パネル、外壁パネルの接合構造及び外壁パネルの施工方法の実施の形態について詳細に説明する。
図１は、本発明に係る大型壁パネルの防水シート貼設前の状態を示した斜視図であり、図２は、同大型壁パネルの防水シート貼設後、サッシの取付を説明するための分解斜視図である。
【００２０】
図１、２に示す本発明に係る外壁パネルとしての大型壁パネル１は、予め工場等にて製造される。この大型壁パネル１は、２つの側壁パネル２、２と、この側壁パネル２、２の上方の側端面部と、下方の側端面部どうしに接合された小壁パネル３と腰壁パネル４とからなるロ字状のパネル本体５に、該パネル本体５の一方の面に防水シート６が貼設され、四隅にステープル６１が打ち込まれている。
この大型壁パネル１の中央部には、開口部７が設けられている。そして、この開口部７を形成する内枠部１ａの下枠には止水プレート８が取り付けられ、更に内枠部１ａには、サッシ９と、サッシ９の防水を図るためのシール材１０が取り付けられている。
【００２１】
側壁パネル２、２と小壁パネル３および腰壁パネル４は、例えば、従来と同様に、縦框材２ａ、３ａと横框材２ｂ、３ｂとが矩形状に組み立てられるとともに、この矩形枠の内部に補強芯材（図示省略）が縦横に組まれて枠体が形成され、枠体の一方の面に合板等の面材２ｃ、３ｃ、４ｃが貼設されたものである。
【００２２】
前記大型壁パネル１の側壁パネル２、２、小壁パネル３および腰壁パネル４との接合は、図示はしないが、締結用のボルトによる締結、或いは釘打ちによって固定される。
前記パネル本体５の上縁部５ａには、接着剤Ｓが、その左端部５１から右端部５２まで間断なく塗布されている。同様に、パネル本体５の左右の側縁部５ｂには、その上端部５３から下端部５４から約１００ｍｍ入り込んだ位置まで接着剤Ｓが間断なく塗布されている。
【００２３】
ここで、入隅を形成する側縁部５ｂについては、パネル本体の左端部５１或いは右端部５２から内側に約１００ｍｍ入り込んだ位置に接着剤Ｓが塗布されている（図７参照）。
【００２４】
また、パネル本体５の下縁部５ｃには、その左端部５１から右端部５２まで断続して、接着剤Ｓが塗布され、接着剤Ｓが塗布されない無塗布部５５が形成される。この際、パネル本体５の下端部５４より内側に約１００ｍｍ入り込んだ位置に接着剤Ｓが塗布されている。
そして、接着剤Ｓが塗布されたパネル本体５には、前記防水シート６が貼設されている。防水シート６としては、防水性と透湿性を備えた、例えば、タイベック（商品名：デュポン社製）などを使用する。
【００２５】
また、防水シート６は、前記パネル本体５の下端部５４より外方に所定幅はみ出るようにして設けられている。
そして、輸送時には、下縁部５ｃの接着剤が塗布された部分から内側に折り返されてテープ止めされた状態となっている。
ここで、所定幅とは、例えば、当該大型壁パネル１が１階部分に取り付けられるものであれば、防水シート６を約８０ｍｍ外側にはみ出るようにさせ、また、当該大型壁パネル１が２階部分に取り付けられるものであれば、防水シート６を約３１０ｍｍ外側にはみ出るようにさせる。２階部分に取り付けられる大型壁パネル１の防水シート６が長いのは、一階の壁パネルとの重ね合わせ部分を形成させるためである。
【００２６】
大型壁パネル１と他の壁パネル１１の端面部どうしが接合される場合（平ジョイント）、図３に示すように、パネル本体５の側端部５１、５２の防水シート６は、木口でカットされる。そして、図４に示すように、大型壁パネル１と他の壁パネル１１の接合部１１ａは、スクリュー釘１２…が縦框材２ａに打ち込まれることによって固定され、接合部１１ａの継ぎ目に、防水性を有するジョイントテープ１３が両方の防水シート６と重ね合わせられるようにして貼設される。
【００２７】
次に、当該大型壁パネル１と他の壁パネル２１とが接合されて出隅２２が形成される場合（図６参照）、図５に示すように、出隅接合部２２ａのパネル本体５の右端部５２の防水シート６は、所定幅（例えば、９０ｍｍ）外側にはみ出るようにして設けられ、そのはみ出た部分が折り返されてテープ２３で止められている。
そして、図６に示すように、出隅接合部２２ａでは、壁パネル２１どうしは、スクリュー釘２４…が縦框材２ａに打ち込まれることによって固定され、その後防水シート６のテープ２３止めした部分が開かれた後、接合部２２ａを覆うように防水シート６を重ねられる。さらに、出隅接合部２２ａには、その上からジョイントテープ２５が貼設される。
【００２８】
次に、大型壁パネル１と他の壁パネル３１とが接合されて入隅３２が形成される場合（図８参照）、図７に示すように、入隅接合部３２ａのパネル本体５の右端部５２の防水シート６は、所定幅（例えば、１００ｍｍ）内側で接着され、接着部からはみ出た部分６ａが折り返されてテープ３３で止められている。
そして、図８に示すように、入隅接合部３２ａでは、スクリュー釘３４が縦框材２ａに打ち込まれることによって固定され、防水シート６のテープ３３止めした部分６ａが開かれ、入隅接合部３２ａにこの開かれた部分の防水シート６が重ねられる。さらに、入隅接合部３２ａには、その上からジョイントテープ３５が貼設される。
【００２９】
次に、上記大型壁パネル１の工場艤装について説明する。
まず、離間させた２つの側壁パネル２、２の間の上端部と下端部に、小壁パネル３と腰壁パネル４をそれぞれ配置させ、その端面部同士を釘打ちにて固定してロ字状のパネル本体５を形成する。
次に、パネル本体５の一方の面の縁部に、接着剤Ｓをローラー（図示省略）或いはスプレー（図示省略）等により塗布する。接着剤Ｓの塗布は、上縁部５ａと左右の側縁部５ｂに間断なく一様に塗布する。下縁部５ｃは一定の間隔（例えば、１００ｍｍ）を開けて断続的に塗布するが、この際、下端部５２より１００ｍｍ上方に入り込んだ位置に塗布する。
【００３０】
次に、接着剤Ｓが塗布された面に、防水シート６を貼設し、四隅にステープル６１を打ち込む。この場合、必要に応じて、パネル本体５の下端部５４或いは側端部５１、５２よりも外方にはみ出るようにさせて設ける。
そして、パネル本体５の内枠部１ａの下枠１ｂに止水プレート８を取り付け、更に、サッシ９と、シール材１０を取り付ける。
また、当該大型壁パネル１を輸送する際には、下端部５４の防水シート６を内側に折り曲げた状態で行う。そうすることにより、輸送時に防水シート６がこすれて切れることを防止することが出来る。さらに、当該大型壁パネル１の下端部５４に他の部材を取り付ける際にも防水シート６を折り曲げた状態で行う。そうすることにより、作業がし易いとともに、防水シートを傷つけるのを防止することが出来る。
【００３１】
続いて、上記大型壁パネル１を施工する方法について説明する。
平ジョイントの場合（図４参照）、接合部１１ａの縦框材２ａにスクリュー釘１２…を防水シート６の上から打ち込んで固定し、接合部１１ａの継ぎ目に、ジョイントテープ１３を両方の防水シート６と重ね合わせるようにして貼設する。
【００３２】
また、出隅接合部２２ａの場合（図６参照）、防水シート６のテープ２３止めした部分を開いた後、防水シート６を、他の壁パネル２１に当接させ、その上から出隅接合部２２ａの縦框材２ａにスクリュー釘２４…を打ち込んで固定し、接合部の継ぎ目に、ジョイントテープ２５を両方の防水シート６と重ね合わせるようにして貼設する。
【００３３】
次に、入隅接合部３２ａの場合、防水シート６のテープ３３止めした部分６ａを開いた後、防水シート６を、他の壁パネル３１の防水シート６に重ね合わせ、防水シート６の上からスクリュー釘３４…を縦框材２ａに打ち込むことによって固定し、さらにその上からジョイントテープ３５を貼設する。
【００３４】
以上説明した本発明に係る大型壁パネル１によれば、パネル本体５の一方の面の上縁部５ａと左右の側縁部５ｂ、５ｂには間断なく接着剤Ｓが塗布され、下縁部５ｃには断続的に接着剤Ｓが塗布され、その上に防水シート６が貼設されているので、ステープル打ちだけの場合に比べて、防水シート６とパネル本体５との間の留め付け面積が大きくなることとなって、当該大型壁パネル１の輸送時の防水シート６のパタつきを防止することが出来る。
即ち、従来のステープル打ちのみによる取り付けの場合、パネル本体５と防水シート６とは点で接着されるが、接着剤Ｓを用いることにより、パネル本体５と防水シート６とは面で接着されるので、留め付け面積がより大きくなって安定して防水シート６が接着され、当該大型壁パネル１の輸送時の防水シート６のパタつきを防止することが出来る。
【００３５】
更に上縁部５ａ、左右の側縁部５ｂ、５ｂには接着剤Ｓが間断なく塗布されているので、防水シート６の内側に水が侵入することを防止出来ることとなって、防水性を向上させることが出来る。
また、下縁部５ｃには、左端部５１から右端部５２まで接着剤Ｓが断続して塗布されているので、万が一、防水シート６の内側に水が侵入した場合でも、下縁部５ｃの接着剤Ｓの無塗布部５５から外部に水を出すことが出来る。
【００３６】
加えて、防水シート６は下端部５４より外方に所定幅はみ出るようにして設けられているので、この大型壁パネル１を所定の場所に取り付けた場合、下端部５４からはみ出るようにした防水シート６を下端部５４に取り付けられた建物の部材と重ねることが出来ることとなって、接合部の防水性をより容易且つ確実に行うことが出来る。
即ち、例えば、大型壁パネル１が２階部の外壁パネルとして使用され、胴差し（図示省略）に取り付けられる場合、当該接合部と胴差しを下端部５４からはみ出た防水シート６で覆って固定することにより接合部の防水性の確保を容易且つ確実に行うことが出来る。
更に、大型壁パネル１と他の壁パネル１１、２１、３１の接合部１１ａ、２２ａ、３２ａに、両方の防水シート６と重なるように防水テープ１３、２５、３５が貼設されているので、大型壁パネル１が接合された場合の接合部１１ａ、２２ａ、３２ａの防水が容易に図れる。
【００３７】
なお、上記実施の形態では、本発明の外壁パネルとして、サッシが組み込まれる大型壁パネルを例示したが、一枚のパネルでもよく、また、壁パネルに限らず屋根パネルなどでも同様の効果が得られる。
また、本実施例では、接着剤とステープルの併用としたが、接着剤のみでもよい。
【００３８】
【発明の効果】
請求項１記載の発明によれば、外壁パネルの少なくとも一方の面の縁部周囲に接着剤が塗布され、その上に防水シートが貼設されているので、ステープル打ちに比べて、防水シートとパネル本体との間の留め付け面積が大きくなることとなって、当該外壁パネルの輸送時の防水シートのパタつきを防止することが出来る。
即ち、従来のステープル打ちによる取り付けの場合、パネル本体と防水シートとは点で接着されるが、接着剤を用いることにより、パネル本体と防水シートとは面で接着されるので、留め付け面積がより大きくなって安定して防水シートが接着され、当該外壁パネルの輸送時の防水シートのパタつきを防止することが出来る。
また、下縁部の少なくとも一部には、接着剤がされていない無塗布部が設けられているので、万が一防水シートの内側に水が侵入した場合でも、下縁部の接着剤の塗布されていない部分から外部に水を出すことが出来る。
【００３９】
請求項２記載の発明によれば、少なくとも上縁部には、左端部から右端部まで接着剤が間断なく塗布されているので、上縁部から防水シートの内側に水が侵入することを防止出来ることとなって、防水性を向上させることが出来る。
【００４１】
請求項３記載の発明によれば、防水シートは下端部より外方に所定幅はみ出るようにして設けられているので、この外壁パネルを所定の場所に取り付けた場合、下端部からはみ出るようにした防水シートを下端部が取り付けられた建物の部材と重ねることが出来ることとなって、接合部の防水性をより容易且つ確実に行うことが出来る。
即ち、例えば、外壁パネルが２階部の外壁パネルとして使用され、胴差しに取り付けられる場合、当該接合部と胴差しをはみ出た下端部の防水シートで覆って固定することにより接合部の防水性の確保を容易且つ確実に行うことが出来る。
【図面の簡単な説明】
【図１】本発明に係る大型壁パネルの防水シート貼設前の状態を示した斜視図である。
【図２】図１の大型壁パネルの艤装を説明するための分解斜視図である。
【図３】平ジョイント用の大型壁パネルの側端部の防水シートの形態を示すための大型壁パネル要部の斜視図である。
【図４】大型壁パネルの平ジョイント部の接合状態を示すための横断面図である。
【図５】出隅接合部用の大型壁パネルの側端部の防水シートの形態を示すための大型壁パネル要部の斜視図である。
【図６】大型壁パネルの出隅接合部の接合状態を示すための横断面図である。
【図７】入隅接合部用の大型壁パネルの側端部の防水シートの形態を示すための大型壁パネル要部の斜視図である。
【図８】大型壁パネルの入隅接合部の接合状態を示すための横断面図である。
【図９】従来のパネルの形態を説明するためのパネルの斜視図である。
【符号の説明】
１    大型壁パネル（外壁パネル）
２    側壁パネル
３    小壁パネル
４    腰壁パネル
５    パネル本体
５ａ  上縁部
５ｂ  側縁部
５ｃ  下縁部
６    防水シート
７    開口部
１３、２５、３５    ジョイントテープ（防水テープ）
５１    左端部
５２    右端部
Ｓ    接着剤
【図１】
0004187356.tif 000002
【図２】
0004187356.tif 000003
【図３】
0004187356.tif 000004
【図４】
0004187356.tif 000005
【図５】
0004187356.tif 000006
【図６】
0004187356.tif 000007
【図７】
0004187356.tif 000008
【図８】
0004187356.tif 000009
【図９】
0004187356.tif 000010